Podtech/llm-jp-corpus-v4-ja_patent huggingface dataset:
(57)【要約】      （修正有）【課題】肺ガンの元となるＣＯＰＤ、肺気腫を治癒する医薬剤をエアー状粒子にしたものを携帯ボトルケースの中に有した吸引器を提供する。【解決手段】吸引器本体にたばこを喫煙している方、以前喫煙していた方がかかる可能性のある肺ガンの元となるＣＯＰＤ、肺気腫を治癒する医薬剤を化学テクノロジーでエアー状粒子６にして携帯ボトルケースの中に有してプッシュボタンで吹出し直接吸引する。肺気腫治癒吸引器は吸引器本体の中にエアー状粒子にした医薬剤を有しているので抵抗なく直接吸引して治癒出来、病院に通う時間の節約又は医療費削減、肺ガン予防に役立つ。【選択図】図２
0003169986.tif 000002
【実用新案登録請求の範囲】
【請求項１】
現在、たばこを喫煙している方、以前喫煙していた方のほとんどの人がかかる可能性がある肺ガンの元となるＣＯＰＤ、肺気腫の認識が浅いのが現状で有り認識を高める為に治癒する医薬剤を化学テクノロジーでエアー状の粒子にして携帯ボトルケースの中に有しプッシュボタンで吹出して直接吸引する事で効果も高く喫煙している方以前喫煙していた方の多くの人が使用するＣＯＰＤ、肺気腫治癒吸引器
【考案の詳細な説明】
【技術分野】
【０００１】  本考案は、肺ガンの元となるＣＯＰＤ、肺気腫を治癒する医薬剤を化学テクノロジーでエアー状粒子にしたものを携帯ボトルケースの中に有した吸引器に関するものである。
【背景技術】
【０００２】  たばこを喫煙している方以前喫煙していた方がかかる可能性のある肺ガンの元となるＣＯＰＤ、肺気腫に関して認識が浅いのが現状である。
【考案の開示】
【考案が解決しようとする課題】
【０００３】  たばこを喫煙している方以前喫煙している方がかかる可能性のある肺ガンの元となるＣＯＰＤ、肺気腫を治癒する医薬剤を携帯ボトルケースの中に有し、直接吸引する事で前述の欠点を解決しようとするものである。
【課題を解決するための手段】
【０００４】  本考案は、吸引器本体にたばこを喫煙している方以前喫煙していた方がかかる可能性のある肺ガンの元となるＣＯＰＤ、肺気腫を治癒する医薬剤を化学テクノロジーでエアー状粒子にして携帯ボトルケースの中に有してプッシュボタンで吹出し直接吸引する事で効果も高く問題点を解決している。
【考案の効果】
【０００５】  上述の様に、本考案のＣＯＰＤ、肺気腫治癒吸引器は吸引器本体の中に化学テクノロジーでエアー状粒子にした医薬剤を有しているので抵抗なく直接吸引して治癒出来るので病院に通う時間の節約又は医療費削減、肺ガン予防に役立つ。
【考案の実施するための最良の形態】
【０００６】  吸引器本体の化学テクノロジーでエアー状粒子にした医薬剤を吸引するので医薬感の抵抗もなく気楽にいつでも、どこでも直接吸引する事で効果も高く自然に治癒でき、たばこを喫煙している方、以前喫煙していた方の多くの人が手軽に使用する事になる。
【実施例】
【０００７】  以下、添付図面に従って一実施例を説明する。Ｉはプラスチックス等適宣素材にて一本化された吸引器本、体、２はキャップ、３はエアー状粒子吹出ノズル４がプッシュボタンスイッチ、５はケースの内側に有した吹出管、６がエアー状粒子の医薬剤になる。【０００８】  本考案の一実施例は上述の如き構成からなるものである。
【図面の簡単な説明】
【０００９】
【図１】本考案のＣＯＰＤ、肺気腫治癒吸引器の一実施例を示す正面図である。
【図２】本吸引器の全部の断面図である。
【符合の説明】
【００１０】  １  吸引器本体
２  キャップ
３  吹出ノズル
４  プッシュボタンスイッチ
５  エアー状粒子の吹出管
６  エアー状粒子
【図１】
0003169986.tif 000003
【図２】
0003169986.tif 000004
【手続補正書】
【提出日】平成22年7月28日(2010.7.28)
【手続補正１】
【補正対象書類名】実用新案登録請求の範囲
【補正対象項目名】全文
【補正方法】変更
【補正の内容】
【実用新案登録請求の範囲】
【請求項１】
現在、たばこの喫煙者がかかる肺の病であるＣＯＰＤ、肺気腫を治癒する医薬剤を化学のイオンテクノロジーでエアー状粒子の形状にしてボトルケースの中に有し、エアー状粒子にしたところを特徴とするＣＯＰＤ、肺気腫治癒吸引器
【手続補正書】
【提出日】平成22年11月15日(2010.11.15)
【手続補正１】
【補正対象書類名】実用新案登録請求の範囲
【補正対象項目名】全文
【補正方法】変更
【補正の内容】
【実用新案登録請求の範囲】
【請求項１】
たばこを喫煙する人の多くの人がかかる病ＣＯＰＤ，肺気腫を化学のイオンテクノロジーでエアー状粒子した治癒剤をプラスチック等適宜素材のボトルケースに有しそれを吸引器としてＣＯＰＤ，肺気腫を治癒する吸引器
【手続補正書】
【提出日】平成23年1月28日(2011.1.28)
【手続補正１】
【補正対象書類名】実用新案登録請求の範囲
【補正対象項目名】全文
【補正方法】変更
【補正の内容】
【実用新案登録請求の範囲】
【請求項１】
現在，たばこを喫煙している方，以前喫煙していた方の多くの人がかかる病であるＣＯＰＤ，肺気腫を治癒する化学のイオンテクノロジーでエアー状粒子した治癒剤をプラスチック等適宜素材のボトルケースに有しボトルケースに設置したプッシュボタンで吹出口から吹出して直接吸引する事で効果も高く、たばこを喫煙している方していた方の多くの人が手軽に使用出来、治癒する事が可能な携帯型ＣＯＰＤ，肺気腫、治癒吸引器
(57)【要約】      （修正有）【課題】発光率を向上させ、製造コストを削減することが可能な照明用ＬＥＤパッケージモジュールを提供する。【解決手段】ＬＥＤパッケージモジュール１０は、硬質基板２０、複数のＬＥＤチップ３０、および複数の半球状を呈するパッケージコロイド４０を備える。ＬＥＤチップ３０は、互いに離間して硬質基板２０に配置される。半球状を呈するパッケージコロイド４０は、ＬＥＤチップ３０に被さるように硬質基板２０に配置される。【選択図】図１
0003169983.tif 000002
【実用新案登録請求の範囲】
【請求項１】
硬質基板と、
互いに離間して前記硬質基板に配置される複数のＬＥＤチップと、
半球状を呈し、前記複数のＬＥＤチップに被さるように前記硬質基板に配置される複数のパッケージコロイドと、
を備えることを特徴とする照明用ＬＥＤパッケージモジュール。
【請求項２】
前記硬質基板は、長方形、正方形、または円形を呈することを特徴とする請求項１に記載の照明用ＬＥＤパッケージモジュール。
【請求項３】
前記硬質基板は、ガラス繊維布の積層板、アルミニウム板、または銅板であることを特徴とする請求項１または請求項２に記載の照明用ＬＥＤパッケージモジュール。
【請求項４】
前記パッケージコロイドは、シリコンと蛍光体粉末とを混合させることによって形成されることを特徴とする請求項１に記載の照明用ＬＥＤパッケージモジュール。
【考案の詳細な説明】
【技術分野】
【０００１】
本考案は、ＬＥＤパッケージモジュールに関し、詳しくは照明用ＬＥＤパッケージモジュールに関するものである。
【背景技術】
【０００２】
従来のＬＥＤパッケージモジュールに液体定量塗布工程を行う際、ＬＥＤチップにパッケージコロイドを確実に被せるため、基板上のＬＥＤチップの周りにダム（Ｄａｍ）を形成する。例えば、台湾実用新案公告第Ｍ３３７８２７号明細書（特許文献１）により掲示されたＬＥＤのパッケージングおよび台湾実用新案公告第Ｍ３３２９３７号明細書（特許文献２）により掲示されたバックライトモジュールのＬＥＤパッケージは、ＬＥＤチップを配置するため基板の表面に凹部を形成し、凹部の周りにダムを形成する。
【０００３】
しかしながら、従来の技術は、基板の表面にダムを形成し、かつパッケージコロイドをダムに囲まれた空間に充満させ、ＬＥＤチップに確実に被せるため、やむを得ず基板材料およびパッケージコロイドの使用料を増加させる。そのため、製造コストが高くなる。一方、液体定量塗布工程が完了した後、パッケージコロイドから形成された平坦面に全反射が発生し、ＬＥＤチップの発光率に影響を与えてしまう。そのため、ダムを採用したＬＥＤパッケージモジュールには改善の余地がある。
【先行技術文献】
【特許文献】
【０００４】
【特許文献１】台湾実用新案公告第Ｍ３３７８２７号明細書
【特許文献２】台湾実用新案公告第Ｍ３３２９３７号明細書
【考案の概要】
【考案が解決しようとする課題】
【０００５】
上記問題を解決するため、本考案は、発光率を向上させ、製造コストを削減することが可能な照明用ＬＥＤパッケージモジュールを提供することを主な目的とする。
本考案は、異なるランプに適用することが可能な照明用ＬＥＤパッケージモジュールを提供することをもう一つの目的とする。
【課題を解決するための手段】
【０００６】
上述の目的を達成するために、本考案によるＬＥＤパッケージモジュールは、硬質基板、複数のＬＥＤチップ、および複数の半球状を呈するパッケージコロイドを備える。ＬＥＤチップは、互いに離間して硬質基板に配置される。半球状を呈するパッケージコロイドは、ＬＥＤチップに被さるように硬質基板に配置される。これにより、ＬＥＤチップの発光率を向上させ、パッケージコロイドの使用量を減少させ、ダムの構成を採用せず、製造コストを削減することができる。
【０００７】
一方、硬質基板は様々なランプに応じ、長方形、正方形、または円形などの異なる形に設計されてもよい。ＬＥＤチップの異なる発光率に応じ、熱伝導係数が異なる硬質基板、例えばガラス繊維布の積層板、アルミニウム板、または銅板を採用することができる。
【図面の簡単な説明】
【０００８】
【図１】本考案の第１実施形態による照明用ＬＥＤパッケージモジュールを示す断面図である。
【図２】本考案の第１実施形態による照明用ＬＥＤパッケージモジュールを示す平面図である。
【図３】本考案の第２実施形態による照明用ＬＥＤパッケージモジュールを示す平面図である。
【図４】本考案の第３実施形態による照明用ＬＥＤパッケージモジュールを示す平面図である。
【考案を実施するための形態】
【０００９】
以下、本考案による照明用ＬＥＤパッケージモジュールを図面に基づいて説明する。
（第１実施形態）
図１および図２に示すように、本考案の第１実施形態によるＬＥＤパッケージモジュール１０は、硬質基板２０、複数のＬＥＤチップ３０、および複数のパッケージコロイド４０を備える。
【００１０】
硬質基板２０は、長方形を呈す。複数個の硬質基板２０は、直列に接続され、蛍光灯に適用されてもよい。
ＬＥＤチップ３０は、硬質基板２０の長さ方向に沿って互いに離間して硬質基板２０に配置され、かつ複数の導線３２によって硬質基板２０に電気的に接続される。
【００１１】
パッケージコロイド４０は、高速撹拌脱泡ミキサーによってシリコンおよび蛍光体粉末を均一に混合させ、蛍光体粉末の分布を均一にするように形成される。パッケージコロイド４０が完成した後、ディスペンサーによってＬＥＤチップ３０に液体定量塗布工程を行い、半球状を呈するパッケージコロイド４０を硬質基板２０に配置してＬＥＤチップ３０および導線３２に被せる。
【００１２】
上述した通り、本実施形態によるＬＥＤパッケージモジュール１０は、半球状を呈するパッケージコロイド４０から形成された球面によってＬＥＤチップ３０の発光率を向上させる。また、硬質基板２０にダム（Ｄａｍ）を形成する構成を省略することによってパッケージコロイド４０の使用量を減少させるため、製造コストを削減する目的を達成することができる。
【００１３】
（第２実施形態および第３実施形態）
一方、硬質基板２０は、長方形に限らず、様々なランプに応じて異なる形に設計されてもよい。例えば、図３に示すように、第２実施形態において、硬質基板２０は、嵌合式ランプに適用するため円形に設計される。図４に示すように、第３実施形態において、硬質基板２０は、街灯に適用するため方形に設計される。また硬質基板２０は、ＬＥＤチップ３０の異なる発光率に応じ、熱伝導係数が異なる材質、例えばガラス繊維布の積層板（０．３６Ｗ／ｍｋ）、アルミニウム板（２３７Ｗ／ｍｋ）、または銅板（４０１Ｗ／ｍｋ）を採用することができる。
【００１４】
以上、本考案は、上記実施形態になんら限定されるものではなく、考案の趣旨を逸脱しない範囲において種々の形態で実施可能である。
【符号の説明】
【００１５】
１０：ＬＥＤパッケージモジュール、
２０：硬質基板、
３０：ＬＥＤチップ、
３２：導線、
４０：パッケージコロイド。
【図１】
0003169983.tif 000003
【図２】
0003169983.tif 000004
【図３】
0003169983.tif 000005
【図４】
0003169983.tif 000006
(57)【要約】      （修正有）【課題】掛け布団等が寝ている間に滑り落ちない布団カバーを提供する。【解決手段】敷布団の下に本布団カバーを挿入することで、寝返りなどでかけ布団が体から離れてしまわないようにする。敷布団と掛け布団等の間を固めの素材を使って空間を空けることで、掛け布団等を圧迫しないため圧迫感が無い。また、ファスナーがあるためにセットが容易で出入りが簡単である。【選択図】図３
0003169987.tif 000002
【実用新案登録請求の範囲】
【請求項１】
掛け布団等が寝返りなどで滑り落ちない。専用カバーが敷布団の下に入るためカバーそのものがずれることが無い。また、図１のＣＤＢにファスナーがあるため寝具へのセットが簡単に出来る。ＣＤＥのマッチにより圧迫感が無ない。
【考案の詳細な説明】
【技術の分野】
【０００１】本考案は、掛け布団等が寝ている間に滑り落ちない布団カバーに関するものである。
【背景技術】
【０００２】現在の寝具は敷布団の上に人が寝転び掛け布団をかけるのが一般的である。睡眠中に寝返りなどで体が動くことにより、掛け布団等がベッドから滑り落ちるため熟睡できないことがある。
【考案の概要】
【考案が解決しようとする課題】
【０００３】解決しようとする問題点は睡眠中掛け布団が体から離れてしまう点である。
【課題を解決するための手段】
【０００４】敷布団の下に専用の布団カバーを挿入する。
【考案の効果】
【０００５】本考案は敷布団と掛け布団等の間を固めの素材を使って空間を空けることで、掛け布団等を圧迫しないため圧迫感が無い。また、ファスナーがあるためにセットが容易で出入りが簡単である。
【図面の簡単な説明】
【図１】布団カバーの展開図。
【図２】布団カバーの立体図。
【図３】布団カバーの実施例を説明した展開図。（実施例）
【図４】布団カバーの実施例を説明した立体図。（実施例）
【考案を実施するための形態】
【実施例】
【０００６】図１はカバーを展開した図であり、ＡからＥは固めの布および化学繊維を使用する。点線部はファスナーを使用する。また、図２、図３、図４のＡ〜Ｅは図１と同様のものである。【０００７】図のＡは敷布団と同等または少し大きめの物である。図のＣのＡと接する面の水平方向は同じ方向のＡに対して６割から８割ぐらいの大きさであり、垂直方向は使用者の膝下まで長さである。図のＥはＣと同じ大きさである。【０００８】図２のようにＣとＥの端に小さなフックを理つける。ファスナーのつまみに紐の先端を取り付けその紐をフックに通し折り返して紐を人の頭の方にマジックで止めておく。その紐を引っ張ることですばやくカバーを開放することが出来る。【０００９】図３のように布団をＡの上に敷く。寝る前にファスナーを閉めて図４のように寝る。
【図１】
0003169987.tif 000003
【図２】
0003169987.tif 000004
【図３】
0003169987.tif 000005
【図４】
0003169987.tif 000006
【手続補正書】
【提出日】平成22年10月22日(2010.10.22)
【手続補正１】
【補正対象書類名】実用新案登録請求の範囲
【補正対象項目名】全文
【補正方法】変更
【補正の内容】
【実用新案登録請求の範囲】
【請求項１】
図１のようにＡ〜Ｅの布を組み合わせた箱型の布団カバーを挿入することで、掛け布団が寝返りなどで滑り落ちないようにする布団カバー。
【請求項２】
請求項１の布団カバーにおいてＣ、Ｄ、Ｅの布が襠の役割を果たすため圧迫感が無い布団カバーとなる。
【請求項３】
請求項１の布団カバーにおいてＢ、Ｃ、Ｄの布にファスナーが付いているためセットが簡単に出来る布団カバーとなる。
【請求項４】
請求項３のファスナーに紐をつけることで緊急時にすぐにセットが解除できるような布団カバーとなる。
【手続補正書】
【提出日】平成23年1月31日(2011.1.31)
【手続補正１】
【補正対象書類名】実用新案登録請求の範囲
【補正対象項目名】全文
【補正方法】変更
【補正の内容】
【実用新案登録請求の範囲】
【請求項１】
敷布団大の布，間を確保する側部（２枚），下部の布，掛け布団を覆うための布の５枚の布を組み合わせたポケット状の布団カバー。
【請求項２】
請求項１の布団カバーにおいて側面と下部の布が襠の役割を果たすため、圧迫感が無いことが特徴となる布団カバー。
【請求項３】
請求項１の布団カバーにおいて側部，下部と掛け布団を覆うための布のつなぎ目にファスナーを使うことで、セットが容易となることが特徴となる布団カバー。
【請求項４】
請求項３のファスナーに紐をつけることで緊急時にすぐにセットが解除できることが特徴となる布団カバー。
【手続補正書】
【提出日】平成23年5月24日(2011.5.24)
【手続補正１】
【補正対象書類名】実用新案登録請求の範囲
【補正対象項目名】全文
【補正方法】変更
【補正の内容】
【実用新案登録請求の範囲】
【請求項１】
長方形の布の長いほうを側部短いほうを上下部とする。敷布団大の長方形の布の側部と下部にそれぞれ３枚の長方形の布を縫い合わせる。また，下部の布に敷布団大の布の側部の長さが半分程度になった布を縫い合わせる。計５枚の布を立方体の展開図状を縫い合わせた構造とする。使用時には立方体に組み立てて使用する。立方体は６面存在するがその１つの面を縫い合わせないこと利用者，敷布団，掛け布団が間に入ることが可能となる。以上のようなポケット状の布団カバー。
【請求項２】
請求項１の布団カバーにおいて側面と下部の布が敷布団，掛け布団，利用者の空間を確保でき襠の役割を果たすため、圧迫感が無いことが特徴となる布団カバー。
【請求項３】
請求項１の布団カバーにおいて側部，下部と掛け布団を覆うための布のつなぎ目にファスナーを使うことで、セットが容易となることが特徴となる布団カバー。
(57)【要約】      （修正有）【課題】袋の中に入れているものが袋の入口から見えない様に蓋（カバー）を袋の入口近傍に取り付けた蓋付き手提げ袋を提供する。【解決手段】手提げ袋２の内側入口近傍にその素材に合った紙や布、また、塩化ビニール等加工品を袋の入口近傍の内側に入口と同じか一回り小さくして、接着、圧着、縫製等その袋に合った方法で取り付け又は袋の内側部分を延長して蓋（カバー）３として使用する。この紙や布等は袋の底部を除く四面のいずれの面に取り付けても良いし、二面に取り付けても良い。これにより、中に入れた物が見えなくなり、プライバシー保護、美観の維持、犯罪防止、等の効果を得る。【選択図】図１
0003169992.tif 000002
【実用新案登録請求の範囲】
【請求項１】
袋の内側入口近傍に、その袋の素材に合った袋の入口と同じか一回り小さい寸法の紙や布を取り付けて、中に物を入れた時、中の物を見えなくする蓋（カバー）を持つことを特徴とする手提げ袋である。
【考案の詳細な説明】
【技術分野】
【０００１】
本考案は、紙や布または塩化ビニール等の化学製品素材などで作られた手提げ袋の入口にその袋に合った紙や布を取り付けて、中に物を入れた時、中の物が見えない様にその紙や布が蓋として機能する手提げ袋に関するものである。
【背景技術】
【０００２】
現在、商売をしている殆どの店舗で買い物をした時、価格にかかわらず手提げ袋に入れて渡されるのが普通である。しかし、蓋がないので上から見ると丸見えである。見られて嫌な時はハンカチや新聞等を上に置いて隠したりしている。
【考案の概要】
【０００３】
紙や布で作られた手提げ袋の内側入口近傍にその袋の素材に合った入口部と同じか、一回り小さい寸法の紙や布を取り付けて、中に物を入れた時、中の物が見えない様にその紙や布が蓋として使用できるようにする。
【考案が解決しようとする課題】
【０００４】
袋の中に入れているものが袋の入り口から見えてしまう。
【課題を解決するための手段】
【０００５】
その手提げ袋の内側入口近傍にその素材に合った紙や布、また、塩化ビニール等加工品を袋の入口近傍の内側に入口と同じか一回り小さくして、接着、圧着、縫製等その袋に合った方法で取り付け又は袋の内側部分を延長して蓋（カバー）として使用する等、
により中に入れた物を見えなくする。この紙や布等は袋の底部を除く四面のいずれの面に取り付けても良いし、二面に取り付けても良い。
【考案の効果】
【０００６】
中に入れた物が見えなくなり、プライバシー保護、美観の維持、犯罪防止、等の効果を得る。
【図面の簡単な説明】
【０００７】
【図１】図１は袋の１面に蓋（カバー）を付けた実用例である。
【図２】図2は袋の相対する２面に蓋（カバー）を付けた実施例である。
【符号の説明】
【０００８】
１    手提げ部分
２    袋本体
３    蓋（カバー）部分
４    取り付け部分
【図１】
0003169992.tif 000003
【図２】
0003169992.tif 000004
(57)【要約】      （修正有）【課題】デザイン性と照明機能を併せ持つオブジェクトを提供する。【解決手段】ガラスやプラスチック製の導光体に密接した光源から放射した光を、放射した光の範囲全面に対して任意の色成分のみを透過するアルミ蒸着または焼き付け塗装などの特殊加工を施した色相を変換する色フィルターを通し導光体に入力し、導光体内部に設置した光鏡面反射部に数回反射させる。さらに導光体内部を照射された光が乱反射を繰り返す事により、導光体内部より導光体表面に漏出する光によって導光体を発光させ浮かび上がらせる。【選択図】図１
0003169997.tif 000002
【実用新案登録請求の範囲】
【請求項１】
導光体に密接した光源から放射した光を、導光体に入力し導光体内部に設置した光鏡面反射部に数回反射し、導光体を発光させ浮かび上がらせるデザイン性を有するガラスやプラスチック製のオブジェクト
【請求項２】
導光体に密接した光源から放射した光を、導光体に入力し導光体内部に設置した光鏡面反射部で反射し、導光体の外側へ光を照射する事を可能とする、請求項１に記載のオブジェクト
【考案の詳細な説明】
【技術分野】
【０００１】本考案は、光源と導光体を組み合わせることによりオブジェクトとしてのデザイン性と照明機能を併せ持つことを特徴とするオブジェクトである
【背景技術】
【０００２】近年、様々なタイプの照明装置が商品化されているが照明としての機能のみに限定されている
また、ガラスやプラスチック装飾品のようなオブジェクトを照らす場合はその対象物を外部から照射させる為、設置スペース等の制限が出来てしまう
【考案の開示】
【考案が解決しようとする課題】
【０００３】ガラスやプラスチック装飾品のようなオブジェクトを浮かび上がらせる為には外部に設置した照明器具を使用するかオブジェクト内部または側面に照明装置を設置する必要が有る
そのいずれもが、対象物であるオブジェクトを照射する事のみに限定してしまう為照明機能を有するオブジェクトが必要となる
【課題を解決するための手段】
【０００４】この目的を達成するために本考案の装置はデザイン性を有するガラスやプラスチック製のオブジェクトである導光体に密接した光源を入射し、導光体内部に設置した光鏡面反射部に反射し光放射部より放出する。一度で放出されない光はオブジェクトである導光体内部に設置した光鏡面反射部に数回反射した後、光放射部より放出される
この際に放出した光は、照明器具としての照射機能を有する
また、導光体の透過性により、導光体全体を発光色、任意に選択した色により発光させ浮かび上がらせる
【考案の効果】
【０００５】本考案は［０００４］に記した構成により、オブジェクトとしての芸術性を、損なうことなく、照明装置としての機能を提供する
【考案を実施するための最良の形態】
【０００６】以下本考案の一実施例について説明する
図１において、１は本考案の一実施例における筐体部を示す
２は光源部を示す
３は２で照射された光を任意の色へ変換するフィルターを示す
４は光を照射させ、デザイン性を有し発光する導光体を示す
５は照射した光を４へ入射させる為の光導入部を示す
６は５より入射した光を反射し、４を発光させ７へ出力する光鏡面反射部を示す
７は６により反射した光を任意の方向へ放射し照明としての機能を付加する光照射部を示す
【実施例】
【０００７】本考案のオブジェクトは光を発生させる光源色の変化を施すフィルター
自らが発光し、光の照射範囲を決定する導光部からなりそれらを一体の筐体に収める
【産業上の利用可能性】
【０００８】近年、環境破壊が盛んに叫ばれるようになりあらゆる電気製品の省エネ化が進んでいる
照明器具も例外ではなく、あらゆる電球のＬＥＤ化と省エネ電球化が急速に進みつつある
本考案はそれら照明器具としての機能をデザイン性を有するガラスやプラスチック製オブジェクトに付加する事により省スペースかつ省エネで、設置場所が限定されないためその利用範囲は多岐にわたる
【図面の簡単な説明】
【０００９】
【図１】本考案の構成図
【図２】正面図
【符号の説明】
【００１０】１  筐体部
２  光源部
３  色調変換フィルター
４  導光体
５  光導入部
６  光鏡面反射部
７  光照射部
【図１】
0003169997.tif 000003
【図２】
0003169997.tif 000004
【手続補正書】
【提出日】平成23年6月10日(2011.6.10)
【手続補正１】
【補正対象書類名】実用新案登録請求の範囲
【補正対象項目名】全文
【補正方法】変更
【補正の内容】
【実用新案登録請求の範囲】
【請求項１】
ガラスやプラスチック製の導光体に密接した
光源から放射した光を、
放射した光の範囲全面に対して
任意の色成分のみを透過する
アルミ蒸着または焼き付け塗装などの
特殊加工を施した色相を変換する
色フィルターを通し導光体に入力し、
導光体内部に設置した光鏡面反射部に数回反射し
さらに導光体内部を
照射された光が乱反射を繰り返す事により、
導光体内部より導光体表面に漏出する光によって
導光体を発光させ浮かび上がらせる
導光体によって成型されたデザイン性を有するオブジェクト
【請求項２】
ガラスやプラスチック製の導光体に密接した
光源から放射した光を、
放射した光の範囲全面に対して
任意の色成分のみを透過する
アルミ蒸着または焼き付け塗装などの
特殊加工を施した色相を変換する
色フィルターを通し導光体に入力し、
導光体内部に設置した光鏡面反射部に数回反射し
さらに導光体内部を
照射された光が乱反射を繰り返す事により、
導光体の指定した一部分から
導光体の外側へ光を集中して照射する事を可能とする、
請求項１に記載のオブジェクト
(57)【要約】      （修正有）【課題】サッカー用の帽子として、頭部の保護及び日差しの強い環境時の日射病、熱射病を予防しかつ、サッカーのプレイにも支障を生じず、移動時にも使用できる帽子を提供する。【解決手段】プレイ中のヘディング・接触・転倒等に対する衝撃を緩和，防御しかつ、強い日差しの悪環境の中でのプレイに対しても直射日光を緩和しつつ吸汗・速乾性等のある素材を用い、縫製・デザインを考慮し新たな発案をすることにより、サッカーのプレイに支障が生じず、他の運動時に於いても、これらの諸問題を解決可能となしうる。現況のサッカーに於ける練習及び移動時に帽子を着用しないと言う概念を変えうるものであると共に、危険を伴うスポーツシーンから健全なる青少年を守り、スポーツ振興に寄与する。【選択図】図１
0003169991.tif 000002
【実用新案登録請求の範囲】
【請求項１】
額部の図１の１のＨＡにあたる部分にパットをつけ
【請求項２】
天上部の図１の２の部分の止め具を除き
【請求項３】
後頭部の図２の３のＨＢにあたる部分に、柔軟な素材を使い直射日光を防ぎ
【請求項４】
ヒサシ図２の３をＨＢからＨＣに移動することで普段の帽子になり
【請求項５】
図２の４にあたる全体の素材には吸汗、速乾性のある素材と
【請求項６】
ビン皮には図３の５の部分に伸縮性のある素材と
【請求項７】
同じビン皮の図３の６の部分には吸汗性のある素材を使用することで
【請求項８】
サッカー専用の帽子として頭部の衝撃緩和及び強い日差しから日射病、熱中症を予防し、かつプレイにも支障がなく普段も着用出来る。
【考案の詳細な説明】
【技術分野】
【０００１】本考案は、サッカーの練習時及び、移動時にも支障のなく使用できる帽子に関するものである。
【背景技術】
【０００２】従来、サッカー帽子には、頭部を保護する目的のものはあるが、サッカーのプレイの技術上に関する細かな配慮が行われていない、また移動時にも使用できるものがない。
【考案の概要】
【考案が解決しようとする課題】
【０００３】サッカーのプレイ上、頭部における接触時及び転倒時から衝撃を緩和し、強い日差しから保護しつつ、プレイに支障なく着用できうるものである。
【課題を解決するための手段】
【０００４】請求項１により額部にパットをつけ、ヘディング時の衝撃緩和また、請求項２により天上部の止め具を除き、請求項３により後頭部にヒサシを付け、直射日光を防ぎ、請求項６によりビン皮に伸縮性のある素材を使用する。
【考案の効果】
【０００５】本考案により、請求項３、請求項５で日差しの強くなるシーズンに熱中症や日射病の予防及び請求項１で接触時、転倒時からの衝撃の緩和。また請求項６で脱落を防止し、請求項４で移動時にも使用することができる。
【図面の簡単な説明】
【０００６】
【図１】本考案に係わる正面図である。
【図２】本考案に係わる側面図である。
【図３】本考案に係わる内面図である。
【考案を実施するための形態】
【０００７】図−１の１のＨＡにあたる額部にパットをつけ、また２の天上部にあたる部分から止め具を除く。
【０００８】図−２の３のＨＢにあたる後頭部に柔らかい素材のヒサシをつけ、また３のヒサシをＨＢにあたる後頭部からＨＣにあたる前頭部に移動することで普通の帽子として使用できる。図−２の４にあたる全体の素材として吸汗、速乾性のある素材を使用する。
【０００９】図−３の５にあたるビン皮には、伸縮性のある素材と図−３の６にあたるビン皮には吸汗性のある素材とを組合せ全体のビン皮とする。
【符号の説明】
【００１０】１  パット
２  止め具無し
３  ヒサシ
４  帽子本体
５  伸縮ビン皮
６  吸汗ビン皮
【図１】
0003169991.tif 000003
【図２】
0003169991.tif 000004
【図３】
0003169991.tif 000005
【手続補正書】
【提出日】平成23年4月8日(2011.4.8)
【手続補正１】
【補正対象書類名】実用新案登録請求の範囲
【補正対象項目名】全文
【補正方法】変更
【補正の内容】
【実用新案登録請求の範囲】
【請求項１】
帽子のヒサシの中にある硬い芯材を除き柔らかくし後頭部にあたる部分へ衝撃緩和素材を設けたことを特徴とするサッカー用帽子。
【手続補正２】
【補正対象書類名】明細書
【補正対象項目名】０００３
【補正方法】変更
【補正の内容】
【０００３】頭部における接触時及び転倒時から衝撃を緩和し、強い日差しから保護しつつ、プレイに支障なく着用できうるもの。
【手続補正３】
【補正対象書類名】明細書
【補正対象項目名】０００４
【補正方法】変更
【補正の内容】
【０００４】請求項１により額部にパットを設けヘディング時の衝撃し、柔らかなヒサシをつけることで直射日光を防ぐ。
【手続補正４】
【補正対象書類名】明細書
【補正対象項目名】０００５
【補正方法】変更
【補正の内容】
【０００５】本考案により、日差しの強くなるシーズンに熱中症や日射病の予防及び接触時、転倒時からの衝撃を緩和し移動時にも使用することができる。
(57)【要約】      （修正有）【課題】持ち歩きの際、小型バック等にも入れることが出来、使用時には持ち手を引き出して団扇状態にする団扇を提供する。【解決手段】弾力性を有する板状の団扇本体３にスライドさせて持ち手１を引き出し且つ挿入させる為のトンネル状の溝を設けた保持部２を取り付ける。その溝に板状又はＵ字型のような針金等の持ち手１を嵌入し、その端部に抜けないようにストッパー５を仕組み、その持ち手１を引き出し且つ挿入出来る様に形成して団扇のサイズを変えられるようにする。【選択図】図１
0003169908.tif 000002
【実用新案登録請求の範囲】
【請求項１】
弾力性を有する板状の団扇本体３と、持ち手１と、保持部２からなり、団扇本体３は、弾力性を有するプラスチックでなる板状で、持ち手１は、Ｕ字型した針金で、保持部２は、団扇本体３の一方の面の持ち手１を設ける付近に取り付けられ、当該保持部は、コの字状のような二列のトンネル状の溝４を備え、その溝４に持ち手１を嵌入し、スライドできる構成にすることで、団扇本体３に、持ち手１を引き出して伸ばして持ち手として使用できるようにし、持ち手１を保持部２に嵌入することで、団扇本体３に持ち手１を収納できることを特徴とする持ち手収納可団扇。
【請求項２】
弾力性を有する板状の団扇本体３と、持ち手１と、保持部２からなり、団扇本体３は、弾力性を有するプラスチックでなる板状で、持ち手１も弾力性を有するプラスチックでなる板状で、保持部２は、団扇本体３の一方の面の、持ち手１を設ける付近に、保持部２の両側面にリベットで、持ち手１が嵌入できるように取り付け、スライドできる構成にすることにより、団扇本体３に、持ち手１を引き出して伸ばして持ち手として使用できるようにし、持ち手１を保持部２に嵌入することで、団扇本体３に持ち手１を収納できることを特徴とする持ち手収納可団扇。
【請求項３】
持ち手１の団扇本体３に挿入する側の端部には、団扇本体３に垂直方向又は横方向に折り曲げて抜けないようにストッパー５を設けたことを特徴とする請求項１又は請求項２に記載の持ち手収納可団扇。
【考案の詳細な説明】
【技術分野】
【０００１】
本考案は持ち歩きの際小型バッグ等にも入れることが出来、使用時には持ち手を引き出して団扇状態にする。
【背景技術】
【０００２】
従来の団扇では突出した持ち手を有する為に小型バッグ等に入らず、使用しない時点では持ち歩きが面倒になる。
【先行技術文献】
【特許文献】
【０００３】
【特許文献１】特開 ２００３−６１７２６公報
【考案の概要】
【考案が解決しようとする課題】
【０００４】
従来の団扇は持ち手が突出した形状で、小型バッグ等に入れることが出来なかった。
【課題を解決するための手段】
【０００５】
弾力性を有する板状の団扇本体３と、持ち手１と、ストッパー５と、保持部２からなり、団扇本体３は、弾力性を有するプラスチックでなる板状で、持ち手１は、Ｕ字型した針金で、保持部２は、溝４を備え、その溝４にＵ字型の端部を嵌入し、スライドできる構成にすることで、団扇本体３に、持ち手１を引き出して伸ばして持ち手として使用できるようにし、持ち手１を保持部２に嵌入することで、団扇本体３に持ち手１を収納できることを特徴とする持ち手収納可団扇。
【考案の効果】
【０００６】
団扇の突出した持ち手１をスライドして引き出し且つ嵌入が出来ることにより、使用しない時点ではサイズを縮小し小型なバッグ等にも入れることが出来、又弾力性を有する板状の団扇本体３によって少ない手首の動作で多い風量が得られる。
【図面の簡単な説明】
【０００７】
【図１】本考案の持ち手収納可団扇の構成（実施例１）
【図２】本考案の持ち手収納可団扇の持ち手収納状況（実施例１）
【図３】本考案の保持部の構成（実施例１）
【図４】本考案の持ち手収納可団扇の側面図（実施例１）
【図５】本考案の持ち手収納可団扇の構成（実施例２）
【図６】本考案の持ち手収納可団扇の持ち手収納状況（実施例２）
【図７】本考案の保持部の構成（実施例２）
【図８】本考案の持ち手収納可団扇の側面図（実施例２）
【考案を実施するための形態】
【実施例１】
【０００８】
図１から図４で本考案の実施例１の持ち手収納可団扇の構成を説明する。
本考案の持ち手収納可団扇は、弾力性を有する板状の団扇本体３と、持ち手１と、保持部２からなる。団扇本体３は、板状で弾力性を有するプラスチック、紙などでなる板状である。持ち手１は、図１のように、針金などでＵ字型に構成している。
保持部２は、図１のように団扇本体３の一方の面の、持ち手１を設ける付近にリベット、溶着、ネジなどで取り付ける。保持部２は、図３のように内部に例えばコの字状のような二列のトンネル状の溝４を備え、その溝に持ち手１の端部を嵌入し、スライドできるようにし、Ｕ字型の端部の折り曲げで抜けないようにストッパー５を設けている。保持部２のコの字状の溝４の高さは、持ち手１の針金の太さによって決める。
このような構成にすることにより、団扇本体３に、持ち手１を引き出して伸ばして持ち手として使用できるようにし、持ち手１を保持部２に嵌入することで、団扇本体３に持ち手１を収納できる。
【実施例２】
【０００９】
図５から図８で本考案の実施例２の持ち手収納可団扇の構成を説明する。
実施例２の、本考案の持ち手収納可団扇は、弾力性を有する板状の団扇本体３と、持ち手１と、保持部２からなる。団扇本体３は、板状で弾力性を有するプラスチックである。持ち手１も、図５のように、板状で弾力性を有するプラスチックなどで構成している。保持部２は、図５のように団扇本体３の一方の面の、持ち手１を設ける付近に、保持部２の両側面にリベット等で、持ち手が嵌入できるように取り付ける。リベットにスペーサーなるワッシャを挿入して、持ち手を嵌入しやすくし、保持部２は、図７のように弾力性の有るプラスチックの板状で、持ち手１の端部を嵌入し、スライドできるようにし、端部を団扇本体３に垂直方向に折り曲げて抜けないようにストッパー５を設けている。
【００１０】
このような構成にすることにより、団扇本体３に、持ち手１を引き出して伸ばして持ち手として使用できるようにし、持ち手１を保持部２に嵌入することで、団扇本体３に持ち手１を収納できる。
【産業上の利用可能性】
【００１１】
省エネ、節電、に対し多くの人が手軽に持参し活用が出来、且つ板状の団扇本体３を企業等個々のキャラクタ−の形状にしたりして、広告などの印刷も出来る団扇である。
【符号の説明】
【００１２】
１   持ち手
２   保持部
３   団扇本体
４   保持部の溝
５   ストッパー
【図１】
0003169908.tif 000003
【図２】
0003169908.tif 000004
【図３】
0003169908.tif 000005
【図４】
0003169908.tif 000006
【図５】
0003169908.tif 000007
【図６】
0003169908.tif 000008
【図７】
0003169908.tif 000009
【図８】
0003169908.tif 000010
(57)【要約】      （修正有）【課題】他人のコップと取り違える可能性を少なくすることが出来るオリジナルコースターを提供する。【解決手段】一定の厚みを有した基盤１の内側を数種類の型抜きで抜いた複数の抜き形状を有し、その抜き跡にそれと同形状の形状片２，３等をはめ込んだコースターＡを作り自分のコップに敷く。基盤や形状片はいろいろな色のものを準備し、使用に当たっては適宜選別してはめ込むことで、自分だけのオリジナルコースターを作る。【選択図】図２
0003169902.tif 000002
【実用新案登録請求の範囲】
【請求項１】
一定の厚みを有し内側を数種類の型抜きで抜いた基盤にＩ個以上の形状片をはめ込んでなるコップ敷き用を特徴とするコースター。
【考案の詳細な説明】
【技術分野】
【０００１】本考案は、コップ敷きに使用するコースターに関するものである。
【背景技術】
【０００２】従来は、コースター敷きは、紙、コルク、木或いはプラスチック製が多く稀に革製のものがあり、その表面は無地か、或いはある飲料メーカーやレストラン或いはバー、スナックなどの名称や商品名、キヤッチフレーズなどが印刷されたり箔押しされているもの多く、飲料を飲む際にコップ敷きからコップを持ち上げた時にそれらの名前などがわかることが多い。
【考案の概要】
【考案が解決しようとする課題】
【０００３】しかしながら、ホテルやレストラン或いは住宅などでの宴会やパーティー等で多くの人々が集まる機会においては、コースター敷きはほとんどの場合同一のものが使用され、食事中或いは離席して戻ってきた際に、自分が飲んでいたコップが他のコップに紛れてどれであるか不明になってしまう場合がある。それはコースターでの区別がつかないからである。間違って他人のコップで飲用した場合、もしも他人の中に病気持ちの人間がいたらその病気が感染してしまう危険性がある。そうでないとしても後で気づいて他人の飲みかけの飲料を飲んだことは非常に後味が悪いものである。
【課題を解決すための手段】
【０００４】しからばそれを解決させる手段としては、色や柄の異なる複数のコースターを多数用意する手があるが、どうみてもそれらを多数用意することは手間暇がかかりコストも増大し合理的でない。ちなみにコースターの印刷には最低ロット１０００枚以上が経済価格といわれており、このコースターを商売で使用される企業や店以外の者ではなかなか簡単に製作することは難しい状況にある・従ってこのような不都合を解消するために、本考案は、一定の厚みを有したコースター基盤の内側を数種類の型抜きで抜いた複数の色を有し形状片を準備し、使用に当たっては適宜選別してはめ込むことで、課題を解決する。準備する形状片、及びその色はわずかでも良く、準備にかかる経費もわずかなもので済む。この組み合わせで多くの種類のコースター柄が構成できる。
【考案の効果】
【０００５】本考案にかかるコースターは上述のように構成されているので、型抜きされた複数の形状でかつ色の異なる片を選んで基盤にはめ込み、自分だけのオリジナルコースターとして確立することができ、他人のコースターと区別して使用することができる。同じ場面に居合わす人々も同様に自分だけの特徴あるコースターを確立し、離席して戻ってきた場合や隣同士の席が近かつたりして自分のコップと隣の人間のコップが紛らわしい位置関係にあっても、お互いに他人のコップを使用しないようにできる。
【図面の簡単な説明】
【０００６】
【図１】本考案の第一実施例のコースターの平面図である。
【図２】本考案の第二実施例のコースターの平面図である。
【考案を実施するための形態】
【０００７】本考案の、コースターの形態につき説明すると（Ａ）はコースター全体を示しており、図１では円形を呈しているが短形でも構わない。またコースターの材質はコップ置きとして滑りにくい素材が好ましく、さらにはカラーバリエーションが豊富に取れ素材が適しており、紙、合成樹脂、革、シリコンゴム、ゴム、スポンジ等が使用可能であるが、より好ましきはシリコンゴム、合成樹脂。ゴム、が適当である。（１）はコースター基盤であり、（２）は第一形状片であり、（３）は第二形状片である（図２）。第一形状片はコースター基盤（１）に型抜きされた面にぴったりと係合しており、その形状は図に示した円形に限らずあらゆる形状に適用可能である。同じく第二形状片（３）はお店や、動物、花，鳥、虫、トランプ、将棋駒、活字、スポーツ、ブランド、マーク等の形状を第一形状片（２）に型抜きされた面にぴったりと隙間なく係合しており、第一形状片（２）同様、あらゆる形状選定が可能である。また、コースター基盤（１）、第一形状片（２）、第二形状片（３）の色は多数適用可能であり、その色と形状の組み合わせは多数になる。
【実施例】
【０００８】以下、図１を参照して本考案の第一実施例を説明する。一定の厚みを有する形状（Ａ）のコースター基盤（１）には第一形状片（２）がぴったりとはめ込まれている。それぞれカラーバリエーションを複数用意しておくことで組み上がったコースターの色柄は多岐に及ぶ。また、第一形状片（２）の外側のラインをコースター基盤の外周側近くまで構成することで、コップをコースターの模様、カラーが良く識別できる。もつともコップの飲料物が透明であれば、第一形状片（２）がコップの直経より小さくでも、コップ底部を外側から視認すればコースターの色柄が識別できる。更に、第一形状片（２）の形状は図に示した例に限らず、種々の形状を採択できる。【０００９】以下、図２を参照して本考案の第二実施例を説明する。一定の厚みを有するコースター（Ａ）のコースター基盤（１）には第一形状片（２）がぴったりとはめ込まれている。ここまでは第一実施例と同様であるが、第二実施例では第一形状片（２）の内側にさらに第二形状片（３）をぴったりとはめ込んでいる。これにより模様や色違いの組み合わせは第一実施例よりも多岐に及ぶ。更に、第一形状片（２）、第二形状片（３）の形状は図示した例に限らず、種々の形状を採択できる。
【符号の説明】
【００１０】  Ａ  コースター
１  コースター基盤
２  第一形状片
３  第二形状片
【図１】
0003169902.tif 000003
【図２】
0003169902.tif 000004
(57)【要約】      （修正有）【課題】計量で、脱ぎ着が簡単で、半身浴の効果を高める着衣を提供する。【解決手段】表地に防水性素材の布、裏地は保温性素材を用い、丈が大人の上半身程のマント状を形成し、首回り部にゴムを用いて伸縮性をもたせギャザーを設ける。前面合わせ部の複数個所に面テープを設ける。但し首回り部前面の面テープは横長に設けてサイズ調整可能にする。【選択図】図１
0003169904.tif 000002
【実用新案登録請求の範囲】
【請求項１】
表地は防水性素材の布、裏地は保温性素材を用い、丈が大人の上半身程のマント状を形成し、首回り部にゴムを用いて伸縮性をもたせギャザーを設け、前面合わせ部の複数個所に面テープを設け、首回り部前面の面テープは横長に設けて、サイズ調整可能にしたことを特徴としたホカホカ健康入浴マント。
【考案の詳細な説明】
【技術分野】
【０００１】  本考案は、半身浴時にマントの裾が水面に大きく広がる作用を持たせ肌触りのよい素材により、暖かく身に着けて半身浴時に用いる着衣。
【背景技術】
【０００２】  従来健康に良いとされる半身浴が、下半身は温かでも上半身が寒く特に肩の当たりが寒く、その為にバスタオルを肩から覆うか、又はシャツを着て入浴してみてもバスタオルは前がはだけり、シャツは湯でくっついて脱ぐのが困難になり、また両方とも濡れたところから冷たくなり、不快感を得ます。あげくのはて風邪を引くこともあります。
【考案の開示】
【考案が解決しようとする課題】
【０００３】  冬の外気温の低い時期には浴湯との温度差が大きく、上半身が異常に寒く感じる上に、発汗までの時間が２０分〜３０分の長時間を要し、かえって風邪を引くおそれがあり、半身浴が苦痛に思うこともある。
本考案は、以上の問題点を解決するためになされたものである。
【課題を解決するための手段】
【０００４】  表地は防水性素材の布、裏地は保温性素材を用い、丈が大人の上半身程のマント状を形成し、首回り部にゴムを用いて伸縮性をもたせギャザーを設ける。前面合わせ部の複数個所に面テープを設ける。但し首回り部前面の面テープは横長に設けてサイズ調整可能にする。
【考案の効果】
【０００５】  上述のように本考案の半身浴着衣は軽量の為、またデザインがシンプルな為、着衣の脱ぎ着が簡単に出来、小さくたためますので入浴グッズとして持ち運びにも便利ですし、着衣の裾が大きく開くため裾が湯面に大きく浮かび相乗効果となる。マント型の着衣を肩から覆うことで湯気が身体とマントの間を通過して首元まで達し、湯気を十分取り込むため短時間で、汗の発散、血流促進、老廃物の排泄、における健康効果が得られ、体の芯から温まり入浴後身体がポカポカしていて湯冷めをしにくくなり、半身浴の効果を感じ取ることができ半身浴が楽しくなります。
着衣を用いることで湯量が全身浴のときより少量で済み水の節約にも役立ちます。
【図面の簡単な説明】
【０００６】
【図１】本考案の斜視図
【図２】本考案の前合わせを開けた状態を示す斜視図
【考案を実施するための形態】
【０００７】  表地は防水性素材の布、裏地は保温性素材を用い着衣は図２のように前合わせ（４）で裏面と表面に面テープ（３）で留める。首元にも前面テープ首元の面テープ（３）は横長に設けて、首回り部（２）のサイズ調整可能にする。首回り部（２）にゴムを用いて伸縮性をもたせギャザー（１）を設ける。そのことによって着衣の裾が大きく開くため裾が湯面に大きく浮かび相乗効果となる。
本考案は以上のような構成であり、これを半身浴に使用する時にはマント型の着衣を肩から覆って、首元を面テープ（３）で調整し、前合わせ（４）を面テープ（３）で合わせ、入浴します。
【符号の説明】
【０００８】  １  ギャザー、    ２  首回り部、    ３  面テープ、    ４  前合わせ、
【図１】
0003169904.tif 000003
【図２】
0003169904.tif 000004
(57)【要約】      （修正有）【課題】Ｔシャツの耐久性を補強したデニム生地補強Ｔシャツを提供する。【解決手段】綿製Ｔシャツの首又は襟元、肩、袖、裾、背中の縦中央部を薄手のデニム生地で補強加工し、Ｔシャツ正面中央に縦に切り込みを設けその部分にフャスナーを設置しフャスナー面の左右両端にデニム生地で補強を施した。【選択図】図１
0003169901.tif 000002
【実用新案登録請求の範囲】
【請求項１】
市販品の綿製Ｔシャツの首又は襟元、肩、袖、裾、背中の縦中央部を薄手のデニム生地で補強加工し、Ｔシャツ正面中央に縦に切り込みを設けその部分にフャスナーを設置しフャスナー面の左右両端にデニム生地で補強を施した。以上を特徴とするデニム生地補強Ｔシャツ。
【考案の詳細な説明】
【技術分野】
【０００１】  本考案は、綿製のＴシャツの首、肩、裾、袖、背一部の各１部分をデニム生地で補強し、正面にフャスナーを設けた、Ｔシャツの機能性に耐久性に対しての補強を施したデニム生地補強Ｔシャツに関するものである。
【技術背景】
【０００２】  従来、綿製のＴシャツは機能性はもとより肌触りが良く肌着という概念から脱却し、暑い夏期には部屋内外ともＴシャツで過ごすことが多くなっている、しかし、使用度が増すにつれて傷みの度合いが気になるので使い捨ての感覚があった。
【考案の開示】
【考案が解決しようとする課題】
【０００３】  そのため次のような問題点があった。
（イ）洗濯の度合いが増すにつれて、襟元、裾、肩、袖部分のたるみが気になる。
（ロ）弛んだＴシャツでの外出は、見た目に問題があった。
（ハ）汗ばんだＴシャツは脱ぐのには苦労することがある。
本考案は、以上の問題を解決するためになされたものである。
【課題を解決するための手段】
【０００４】  市販品の綿製Ｔシャツの首又は襟元、肩、袖、裾、背中の縦中央部を薄手のデニム生地で補強加工し、Ｔシャツ正面中央に縦に切り込みを設けその部分にフャスナーを設置しフャスナー面の左右両端にデニム生地で補強を施した。以上を特徴とするデニム生地補強Ｔシャツである。
【考案の効果】
【０００５】  本考案は、綿製Ｔシャツの首又は襟、肩、裾、袖、背中の一部にデニム生地で補強をしたことにより、洗濯や使用度合いの過度によるＴシャツの疲労を軽減し、暑い夏でもそのまま外出できる感じにし、更に補強したデニム生地が洗濯や使用度合いによる風合いを出して個性化に繋がる効果が期待でき、また、正面に設けたフャスナーによりＴシャツの脱ぐ時、着る時の利便性を確保し、結果的に長期着用効果が期待できる。
【考案を実施するための最良の形態】
【０００６】  以下、本考案の実施の形態を説明する。
（イ）Ｔシャツ本体（４）の襟首部分（１）、肩部（２）、袖部（３）、裾部（５）、背      部襟元部（７）背部センター部にデニム生地でＴシャツの生地の上部に縫い付ける      等して補強を施す。
（ロ）Ｔシャツ正面中央に縦に切り込みを入れ、その部分をデニム生地で補強しフャスナ      ー部（６）を設ける。
本案は以上のような構造でこれを使用するときは、ファスナー部（６）を解放し羽織るように着用する。【０００７】    図１は、本考案正面図であり、図２は、背部正面図。
【図面の簡単な説明】
【０００８】
【図１】  本考案の正面図
【図２】  本考案の背部正面図
【符号の説明】
【０００９】  １  襟首部
２  肩部
３  袖部
４  Ｔシャツ本体
５  裾部
６  フャスナー部
７  背部襟元部
８  背部センター部
【図１】
0003169901.tif 000003
【図２】
0003169901.tif 000004